(57)【要約】  【課題】  支払いを受け取る受取者が、１枚のキャッシュカードで、異なる口座からの取引を行うことができる装置及び仕組みを提供する。【解決手段】  ＡＴＭ装置４は、受取者から受取者口座に対する処理を受け付けると、受取者の受け取り口座とは別に開設した金融機関Ａに開設した口座のキャッシュカード５及び認証情報としての暗証番号の入力を要求し、入力されたキャッシュカード５及び認証情報が正しい場合に、金融機関Ｂに開設した支払口座からの支払処理ができるようにした。【選択図】図１
2006302150.tif 000002
【特許請求の範囲】
【請求項１】
受取者が開設した受取者口座情報を管理する第１の金融機関装置と、支払者が開設した支払者口座情報を管理する第２の金融機関装置と、上記受取者が入力操作する操作端末とを有し、上記各装置及び端末が相互に通信可能に構成されたシステムであって、
上記第１の金融機関装置は、
受取者口座の口座番号及び認証情報を含む受取者口座情報を記憶する第1の記憶手段と、
上記操作端末から上記受取者口座の口座番号及び認証情報を受信する第1の受信手段と、
受信した受取者口座の口座番号及び認証情報が、上記第１の記憶手段に記憶されている受取者口座情報に適合するか否かを判別する第１の判別手段と、
上記操作端末に対して上記判別結果を送信する送信手段と、を有し、
上記第２の金融機関装置は、
上記支払者口座情報及び受取者が支払われた金銭を受け取るための口座情報を記憶する第２の記憶手段と、
上記第１の金融機関装置により認証がされたことを表す認証済み情報と、上記受取者により入力された支払口座情報及び支払金額情報を受信する第２の受信手段と、
上記認証済み情報を受信したか否か、及び上記受信した支払口座情報が上記第２の記憶手段に記憶されている支払口座情報に適合するか否かを判別する第２の判別手段と、
認証済み情報を受信し、かつ、支払口座情報に適合すると判別された場合に、上記操作端末から受取者が入力した支払金額情報に基づいて支払口座から支払要求金額の支払い処理を行う取引処理手段と、を有する、
ことを特徴とする支払処理システム。
【請求項２】
受取者が開設した受取者口座情報を管理する第１の金融機関装置と、支払者が開設した支払者口座情報及び上記受取者が支払われた金銭を受け取るための支払口座情報を管理する第２の金融機関装置と、上記受取者が入力操作する操作端末と、上記操作端末から決済処理情報を受信して、上記各金融機関装置へ送信する中間処理装置とを有し、上記各装置及び端末が相互に通信可能に構成されたシステムであって、
上記第１の金融機関装置は、
受取者口座の口座番号及び認証情報を含む受取者口座情報を記憶する第1の記憶手段と、
上記操作端末を介して入力された受取者口座の口座番号及び認証情報を受信する第1の受信手段と、
受信した受取者口座の口座番号及び認証情報が、上記第１の記憶手段に記憶されている受取者口座情報に適合するか否かを判別する第１の判別手段と、
上記判別結果を上記操作端末又は中間処理装置へ送信する送信手段と、を有し、
上記中間処理装置は、
上記受取者口座の口座情報と上記支払口座情報とを関連付けて記憶する第３の記憶手段と、
上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する送信手段と、を有し、
上記第２の金融機関装置は、
上記支払者口座情報及び支払口座情報を記憶する第２の記憶手段と、
上記中間処理装置より、上記第１の金融機関装置により認証がされたことを表す認証済み情報と、上記受取者の支払口座情報及び支払金額情報を受信する第２の受信手段と、
上記認証済み情報を受信したか否か及び、上記受信した支払口座情報が上記第２の記憶手段に記憶されている支払口座情報に適合するか否かを判別する第２の判別手段と、
認証済み情報が通知され、かつ、支払口座情報に適合すると判別された場合に、上記受取者からの支払金額情報に基づいて、支払口座から支払要求金額の支払い処理を行う取引処理手段と、を有する、
ことを特徴とする支払処理システム。
【請求項３】
受取者が開設した受取者口座情報を管理する第１の金融機関装置と、支払者が開設した支払者口座情報及び上記受取者が支払われた金銭を受け取るための支払口座情報を管理する第２の金融機関装置と、上記受取者が操作する操作端末とを有し、上記各装置及び端末が相互に通信可能に構成されたシステムであって、
上記第１の金融機関装置は、
受取者口座の口座番号及び認証情報を含む受取者口座情報と上記支払口座情報とを関連付けて記憶する第1の記憶手段と、
上記操作端末から上記受取者口座の口座番号及び認証情報を受信する第1の受信手段と、
受信した受取者口座の口座番号及び認証情報が、上記第１の記憶手段に記憶されている受取者口座情報に適合するか否かを判別する第１の判別手段と、
認証情報が適合する場合に、上記第２の金融機関装置に対して上記第１の記憶手段に当該受取者口座情報に関連付けて記憶されている支払口座情報を抽出し、抽出した支払口座情報と、認証済み情報及び支払い金額情報を送信する送信手段と、を有し、
上記第２の金融機関装置は、
上記支払者口座情報及び支払口座情報を記憶する第２の記憶手段と、
上記第１の金融機関装置により認証がされたことを表す認証済み情報と、上記受取者により入力された支払口座情報及び支払金額情報を受信する第２の受信手段と、
上記認証済み情報が通知されたか否か、及び上記受信した支払口座情報が上記第２の記憶手段に記憶されている支払口座情報に適合するか否かを判別する第２の判別手段と、
認証済み情報が通知され、かつ、支払口座情報に適合すると判別された場合に、上記受取者からの支払金額情報に基づいて、支払口座から支払要求金額の支払い処理を行う取引処理手段と、を有する、
ことを特徴とする支払処理システム。
【請求項４】
上記受取者が支払われた金銭を受け取るための口座情報は、上記支払者口座の記憶エリアの一部を分割して設けられ、上記受取者に対する支払いを行うための支払口座情報である、
請求項１〜３のいずれかの項に記載の支払処理システム。
【請求項５】
受取者口座の口座番号及び認証情報を含む受取者口座情報を記憶する第１の記憶手段を有し、受取者が操作する操作端末から上記受取者口座の口座番号及び認証情報を受信して、受信した受取者口座の口座番号及び認証情報が、上記第１の記憶手段に記憶されている受取者口座番号及び認証情報に適合するか否かを判別する第１の金融機関装置と通信を介して接続された装置であって、
上記支払者口座情報及び上記受取者が支払われた金銭を受け取るための支払口座情報を記憶する第２の記憶手段と、
上記第１の金融機関装置により認証がされたことを表す認証済み情報と、上記操作端末から送信された支払口座情報及び支払金額情報を受信する第２の受信手段と、
上記認証済み情報が通知されたか否か及び、上記受信した支払口座情報が上記第２の記憶手段に記憶されている支払口座情報に適合するか否かを判別する第２の判別手段と、
認証済み情報が通知され、かつ、支払口座情報に適合すると判別された場合に、上記受取者からの支払金額情報に基づいて、支払口座から支払要求金額の支払い処理を行う取引処理手段と、
を有することを特徴とする金融機関装置。
【請求項６】
受取者口座の口座番号及び認証情報を含む受取者口座情報を記憶する第1の記憶手段を有し、受取者が操作する操作端末から上記受取者口座の口座番号及び認証情報を受信して、受信した受取者口座の口座番号及び認証情報が、上記第1の記憶手段に記憶されている受取者口座情報に適合するか否かを判別する第１の金融機関装置と、
上記支払者口座情報及び上記受取者が支払われた金銭を受け取るための支払口座情報を記憶する第２の記憶手段を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成された装置であって、
上記受取者口座の口座情報と上記支払口座情報とを関連付けて記憶する第３の記憶手段と、
上記操作端末から送信された受取者口座の口座番号、認証情報及び支払いを要求する支払金額情報を受信する受信手段と、
受信した受取者口座番号及び認証情報を上記第１の金融機関装置へ送信して認証要求を行う認証要求手段と、
上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる送信手段と、
を有することを特徴とする決済銀行装置。
【請求項７】
受取者口座の口座番号及び認証情報を含む受取者口座情報を記憶する第1の記憶手段を有し、入力された上記受取者口座の口座番号及び認証情報を受信して、受信した受取者口座の口座番号及び認証情報が、上記第１の記憶手段に記憶されている受取者口座情報に適合するか否かを判別する第１の金融機関装置と、
上記支払者口座情報及び、上記受取者が支払われた金銭を受け取るための支払口座情報を記憶する第２の記憶手段を有し、上記第１の金融機関装置により認証がされたことを表す認証済み情報と上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成された取引処理装置であって、
受取者から、受取者口座番号、当該受取者口座の認証情報、支払口座情報、及び支払金額情報の入力を受け付ける入力手段と、
入力された受取者口座番号、当該受取者口座の認証情報を、上記第１の金融機関装置に送信して、受取者口座の認証要求を行う認証要求手段と、
上記第１の金融機関装置から受取者口座情報が正しい旨の通知を受けた場合に、この認証済み情報と、上記入力された支払口座情報及び支払金額情報を、支払口座を管理している第２の金融機関装置へ送信する送信手段と、
上記第２の金融機関装置から支払処理結果の通知を受信し、支払処理結果情報を出力する出力する出力手段と、
を有することを特徴とする操作端末。
【請求項８】
受取者口座の口座番号及び認証情報を含む受取者口座情報を記憶する第1の記憶手段を有し、受取者が操作する端末から上記受取者口座の口座番号及び認証情報を受信して、受信した受取者口座の口座番号及び認証情報が、上記第1の記憶手段に記憶されている受取者口座情報に適合するか否かを判別する第１の金融機関装置と、上記支払者口座情報及び、上記受取者が支払われた金銭を受け取るための支払口座情報を記憶する第２の記憶手段を有し、上記第１の金融機関装置により認証がされたことを表す認証済み情報と、上記受取者の支払口座情報及び支払金額情報とを受信し、認証済み情報が通知され、かつ、支払口座情報に適合すると判別された場合に、上記受取者からの支払金額情報に基づいて、支払口座から支払要求金額の支払い処理を行う第２の金融機関装置と、上記受取者口座の口座情報と上記支払口座情報とを関連付けて記憶する第３の記憶手段を有し、受取者口座の口座番号、認証情報及び支払いを要求する支払金額情報を受信し、受信した受取者口座番号及び認証情報を上記第１の金融機関装置へ送信して認証要求を行い、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成された取引処理装置であって、
受取者から、受取者口座番号、当該受取者口座の認証情報、支払口座情報、及び支払金額情報の入力を受け付ける入力手段と、
入力された受取者口座番号、当該受取者口座の認証情報を、上記決済銀行装置に送信し、決済銀行装置を介して第１の金融機関装置に対して受取者口座の認証要求を行う認証要求手段と、
上記決済銀行装置から受取者口座情報が正しい旨の通知を受けた場合に、この認証済み情報と、上記入力された支払口座情報及び支払金額情報を、支払口座を管理している第２の金融機関装置へ送信する送信手段と、
上記第２の金融機関装置から支払処理結果の通知を受信し、支払処理結果情報を出力する出力する出力手段と、
を有することを特徴とする操作端末。
【請求項９】
受取者が開設した受取者口座の口座番号及び認証情報を含む受取者口座情報を記憶する第１の記憶手段を有する第１の金融機関装置と、支払者が開設した支払者口座情報及び受取者が支払われた金銭を受け取るための口座情報を記憶する第２の記憶手段を有する第２の金融機関装置と、上記受取者が入力操作する操作端末とにより行われる方法であって、
上記第１の金融機関装置が、
上記操作端末から上記受取者口座の口座情報及び認証情報を受信する処理と、
受信した受取者口座の口座情報及び認証情報が、上記第1の記憶手段に記憶されている受取者口座情報及び認証情報に適合するか否かを判別する処理と、
上記操作端末に対して上記判別結果を送信する処理と行い、
上記第２の金融機関装置が、
上記第１の金融機関装置により認証がされたことを表す認証済み情報と、上記受取者により入力された支払口座情報及び支払金額情報を受信する処理と、
上記認証済み情報が通知されたか否か、及び上記受信した支払口座情報が上記第２の記憶手段に記憶されている支払口座情報に適合するか否かを判別する処理と、
認証済み情報を受信し、かつ、支払口座情報に適合すると判別された場合に、上記操作端末から受取者が入力した支払金額情報に基づいて支払口座から支払要求金額の支払い処理を行う処理とを行う、
ことを特徴とする支払処理方法。
【請求項１０】
受取者が開設した受取者口座の口座番号及び認証情報を含む受取者口座情報を記憶する第１の記憶手段を有する第１の金融機関装置と、支払者が開設した支払者口座情報及び受取者が支払われた金銭を受け取るための口座情報を記憶する第２の記憶手段を有する第２の金融機関装置と、上記受取者が入力操作する操作端末と、上記操作端末から決済処理情報を受信して、上記受取者口座の口座情報と上記支払口座情報とを関連付けて記憶する第３の記憶手段を有する中間処理装置とにより行われる方法であって、
上記第１の金融機関装置が、
上記操作端末を介して入力された受取者口座の口座番号及び認証情報を受信する処理と、
受信した受取者口座の口座番号及び認証情報が、上記第1の記憶手段に記憶されている受取者口座番号及び認証情報に適合するか否かを判別する処理と、
上記判別結果を上記操作端末又は中間処理装置へ送信する処理とを行い、
上記中間処理装置が、
上記第１の金融機関装置による認証結果が適正であった場合、上記第３の記憶手段を参照して、当該受取者口座に関連付けられて記憶されている支払口座情報を抽出する処理と、
抽出した支払口座を管理している上記第２の金融機関装置に対して、第１の金融機関装置により認証が完了したことを表す認証済み情報、抽出した支払口座情報及び支払金額情報を送信する処理とを行い、
上記第２の金融機関装置が、
上記中間処理装置より、上記第１の金融機関装置により認証がされたことを表す認証済み情報と、上記受取者の支払口座情報及び支払金額情報を受信する処理と、
上記認証済み情報が通知されたか否か及び、上記受信した支払口座情報が上記第２の記憶手段に記憶されている支払口座情報に適合するか否かを判別する処理と、
認証済み情報が通知され、かつ、支払口座情報に適合すると判別された場合に、上記受取者からの支払金額情報に基づいて、支払口座から支払要求金額の支払い処理とを行う、
ことを特徴とする支払処理方法。
【請求項１１】
受取者が開設した受取者口座の口座番号及び認証情報を含む受取者口座情報と、第２の金融機関に設けられ受取者が支払われた金銭を受け取るための支払口座情報とを関連付けて記憶する第１の記憶手段を有する第１の金融機関装置と、
支払者の支払者口座情報及び受取者が支払われた金銭を受け取るための支払口座情報を記憶する第２の記憶手段と、支払者が開設した支払者口座情報及び上記受取者が支払われた金銭を受け取るための支払口座情報を管理する第２の金融機関装置と、上記受取者が操作する操作端末とにより行われる方法であって、
上記第１の金融機関装置が、
上記操作端末から上記受取者口座の口座番号及び認証情報を受信する処理と、
受信した受取者口座の口座番号及び認証情報が、上記第１の記憶手段に記憶されている受取者口座番号及び認証情報に適合するか否かを判別する第１の処理と、
認証情報が適合する場合に、上記第２の金融機関装置に対して上記第1の記憶手段に当該受取者口座情報に関連付けて記憶されている支払口座情報を抽出し、抽出した支払口座情報と、認証済み情報及び支払い金額情報を送信する処理とを行い、
上記第２の金融機関装置が、
上記第１の金融機関装置により認証がされたことを表す認証済み情報と、上記受取者により入力された支払口座情報及び支払金額情報を受信する処理と、
上記認証済み情報が通知されたか否か及び、上記受信した支払口座情報が上記第２の記憶手段に記憶されている支払口座情報に適合するか否かを判別する処理と、
認証済み情報が通知され、かつ、支払口座情報に適合すると判別された場合に、上記受取者からの支払金額情報に基づいて、支払口座から支払要求金額を支払う処理とを行う、
ことを特徴とする支払処理方法。
【請求項１２】
受取者口座の口座番号及び認証情報を含む受取者口座情報を記憶する第１の記憶手段を有し、受取者が操作する操作端末から上記受取者口座の口座番号及び認証情報を受信して、受信した受取者口座の口座番号及び認証情報が、上記第１の記憶手段に記憶されている受取者口座番号及び認証情報に適合するか否かを判別する第１の金融機関装置と通信を介して接続されたコンピュータ装置により行われる方法であって、
上記コンピュータ装置が、
上記支払者口座情報及び上記受取者が支払われた金銭を受け取るための支払口座情報を記憶する第２の記憶手段を有し、
上記第１の金融機関装置により認証がされたことを表す認証済み情報と、上記操作端末から送信された支払口座情報及び支払金額情報を受信する処理と、
上記認証済み情報が通知されたか否か及び、上記受信した支払口座情報が上記第２の記憶手段に記憶されている支払口座情報に適合するか否かを判別する処理と、
認証済み情報が通知され、かつ、支払口座情報に適合すると判別された場合に、上記受取者からの支払金額情報に基づいて、支払口座から支払要求金額を支払う処理と、
を行うことを特徴とする支払処理方法。
【請求項１３】
受取者口座情報を有し、認証要求に応じて受取者口座情報の認証処理を行う第１の金融機関装置と、支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、それぞれ通信を介して接続可能に構成されたコンピュータ装置により行われる方法であって、
上記コンピュータ装置が、
上記受取者口座の口座情報と上記支払口座情報とを関連付けて記憶する第３の記憶手段を有し、
上記操作端末から送信された受取者口座の口座番号、認証情報及び支払いを要求する支払金額情報を受信する処理と、
受信した受取者口座番号及び認証情報を上記第１の金融機関装置へ送信して認証要求を行う処理と、
上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる処理と、
を行うことを特徴とする支払方法。
【請求項１４】
受取者口座情報を有し、受取者口座情報の認証を行う第１の金融機関装置と、
上記支払者口座情報及び、上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成されたコンピュータ装置により実行される装置であって、
受取者から、受取者口座番号、当該受取者口座の認証情報、支払口座情報、及び支払金額情報の入力を受け付ける処理と、
入力された受取者口座番号、当該受取者口座の認証情報を、上記第１の金融機関装置に送信して、受取者口座の認証要求を行う処理と、
上記第１の金融機関装置から受取者口座情報が正しい旨の通知を受けた場合に、この認証済み情報と、上記入力された支払口座情報及び支払金額情報を、支払口座を管理している第２の金融機関装置へ送信する処理と、
上記第２の金融機関装置から支払処理結果の通知を受信し、支払処理結果情報を出力する出力する処理と、
を行うことを特徴とする支払処理方法。
【請求項１５】
受取者口座情報を有し、受信した受取者口座情報の認証処理を行う第１の金融機関装置と、上記支払者の支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、
上記受取者口座の口座情報と上記支払口座情報とを関連付けて記憶し、受信した受取者口座番号及び認証情報を上記第１の金融機関装置へ送信して認証要求を行い、上記第１の金融機関装置による認証結果が適正であった場合、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成されたコンピュータ装置により行われる方法であって、
受取者から、受取者口座番号、当該受取者口座の認証情報、支払口座情報、及び支払金額情報の入力を受け付ける処理と、
入力された受取者口座番号、当該受取者口座の認証情報を、上記決済銀行装置に送信し、決済銀行装置を介して第１の金融機関装置に対して受取者口座の認証要求を行う処理と、
上記決済銀行装置から受取者口座情報が正しい旨の通知を受けた場合に、この認証済み情報と、上記入力された支払口座情報及び支払金額情報を支払口座を管理している第２の金融機関装置へ送信する処理と、
上記第２の金融機関装置から支払処理結果の通知を受信し、支払処理結果情報を出力する出力する処理と、
を行うことを特徴とする支払処理方法。
【請求項１６】
受取者口座情報を有し、認証要求に応じて受取者口座情報の認証処理を行う第１の金融機関装置と、支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、それぞれ通信を介して接続可能に構成され、上記受取者口座の口座情報と上記支払口座情報とを関連付けて記憶する第３の記憶手段を有するコンピュータを、決済銀行装置として機能させるコンピュータプログラムであって、
上記コンピュータに対して、
上記操作端末から送信された受取者口座の口座番号、認証情報及び支払いを要求する支払金額情報を受信する処理と、
受信した受取者口座番号及び認証情報を上記第１の金融機関装置へ送信して認証要求を行う処理と、
上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる処理と、
を実行させるコンピュータプログラム。
【請求項１７】
受取者口座情報を有し、受取者口座情報の認証を行う第１の金融機関装置と、
上記支払者口座情報及び、上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成されたコンピュータを操作端末として機能させるためのコンピュータプログラムであって、
上記コンピュータに対して、
受取者から、受取者口座番号、当該受取者口座の認証情報、支払口座情報、及び支払金額情報の入力を受け付ける処理と、
入力された受取者口座番号、当該受取者口座の認証情報を、上記第１の金融機関装置に送信して、受取者口座の認証要求を行う処理と、
上記第１の金融機関装置から受取者口座情報が正しい旨の通知を受けた場合に、この認証済み情報と、上記入力された支払口座情報及び支払金額情報を、支払口座を管理している第２の金融機関装置へ送信する処理と、
上記第２の金融機関装置から支払処理結果の通知を受信し、支払処理結果情報を出力する出力する処理と、
を実行させるコンピュータプログラム。
【請求項１８】
受取者口座情報を有し、受信した受取者口座情報の認証処理を行う第１の金融機関装置と、上記支払者の支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、
上記受取者口座の口座情報と上記支払口座情報とを関連付けて記憶し、受信した受取者口座番号及び認証情報を上記第１の金融機関装置へ送信して認証要求を行い、上記第１の金融機関装置による認証結果が適正であった場合、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成されたコンピュータを、支払者が操作する操作端末として機能させるためのコンピュータプログラムであって、
上記コンピュータに対して、
受取者から、受取者口座番号、当該受取者口座の認証情報、支払口座情報、及び支払金額情報の入力を受け付ける処理と、
入力された受取者口座番号、当該受取者口座の認証情報を、上記決済銀行装置に送信し、決済銀行装置を介して第１の金融機関装置に対して受取者口座の認証要求を行う処理と、
上記決済銀行装置から受取者口座情報が正しい旨の通知を受けた場合に、この認証済み情報と、上記入力された支払口座情報及び支払金額情報を支払口座を管理している第２の金融機関装置へ送信する処理と、
上記第２の金融機関装置から支払処理結果の通知を受信し、支払処理結果情報を出力する出力する処理と、
を実行させるコンピュータプログラム。
【発明の詳細な説明】
【技術分野】
【０００１】
本発明は、金融機関を通じて、支払者から受取者に対して支払処理を行う技術に関するものであり、特に、雇用者（支払者）が従業者（受取者）に賃金を支払う際に好適な仕組みを提供する。
【背景技術】
【０００２】
従来、金融機関を利用した支払者から受取者に対しての支払いは、受取者が口座を開設している金融機関へ、支払者が振込を行うことにより行われることが多い。代表的な支払の一例として、雇用者から従業者への賃金の支払がある。
この賃金の支払において、雇用体系が自由化されている現在、月払いだけでなく、週払いや、日払いの雇用契約形態の場合も多くなってきている。このように賃金を日払いする場合、金融機関を利用した賃金の支払いでは、一日の勤務が終了した後にその賃金を支払うための振込み手続きを行っても、金融機関の営業時間の関係上、その処理は翌日となってしまう。そのため、その日に賃金の支払を求める者が多い。特に日払いの雇用契約を望む従業者には、このような金融機関を利用した賃金の支払いは馴染まないので、金融機関を利用した賃金の支払いではなく、予め金融機関より所定の金銭を引き出しておき、雇用者ごとに現金を手渡すようにしている。
【０００３】
さらに、所定の相手への送金や支払を効率良く行うようにした仕組みとして、たとえば、送金人の依頼により送金人の口座から送金金額を引き出し、これを受取人が管理するように一時的に生成した仮口座に格納し、次いで、受取人からの支払い依頼に応じて本人確認を行った後、仮口座に格納された金銭を受取人へ支払い、支払い完了後、残高のなくなった仮口座を削除するようにしたものがある（特許文献１参照）。
【特許文献１】特開平１１−２６５４１３号公報
【発明の開示】
【発明が解決しようとする課題】
【０００４】
しかし、支払者としては、受取人が指定する金融機関が異なると、それぞれの金融機関に対して振り込み手続を行う必要があり、大変煩わしかった。特に、給与支払では、雇用者が賃金を振り込む従業者指定の金融機関は様々であり、従業者ごとに異なっていたため、金融機関に対して賃金の振込み処理を行うには、非常に煩わしい手間がかかっていた。しかも、その場合の振込み手数料は、すべて雇用者側の負担となっており、雇用者側の金融機関と従業者側の金融機関が同じ系列の金融機関でないと、同じ金融機関同士の手数料より割高の手数料を負担しなければならない場合があるなどの問題があった。
【０００５】
このような振り込み手数料等の軽減のため、支払者が、受取者に対して、支払者が口座を開設している同じ金融機関に口座を持たせて、そこで支払を行うケースがある。このような場合、受取者はわざわざその金融機関に口座を開設しなければならず、大変煩わしいばかりか、その口座用のキャッシュカードを持たなければならないなどの問題があった。
また金融機関からしても、キャッシュカードの発行枚数が多くなるため、発行のコストが高くなるし、また、金融機関側としても、雇用者ごとに賃金支払のためだけの口座を設けられては、口座ファイル数ばかり多くなり、システムが大規模化し処理に手間がかかるなどの問題があった。
【０００６】
また、上述した従来技術では、一時的に生成した仮口座を利用して支払いを行う場合、仮口座へ送金する際に、送金先が仮口座へのアクセスするためのキーとしての本人情報を送金元が指定してため、送金先だけでなく送金元も仮口座へアクセスすることが可能であり、仮口座管理の面で不安がある。すなわち、送金元も仮口座から支払いを受けることが事実上可能であり、万一、第三者が不正に送金先の仮口座から支払いを受けた場合、仮口座の管理責任の所在が不明確であるため、仮口座へアクセスする可能性を有している送金元は疑われる余地を残している。また、仮口座といっても異なる金融機関への送金をも前提としているので、その場合、まったく異なった口座間での送金処理となるため、金融機関のシステムの負荷が大きく、送金時間を要したり、送金手数料が発生したりする恐れを有している。
【０００７】
本発明は、上述の課題を解決するためになされたものであって、支払人から受取人に対して、金融機関の口座を利用して即時的、効率的に支払いを行うことができる仕組みを提供することを目的とする。
また、本発明の別の目的として、受取人が予め保有していた銀行口座の金融機関とは異なる金融機関が支払い先として指定された場合でも、当該指定された金融機関の口座情報を用いて支払われた金銭を受け取ることができるとともに、受取人が保持している銀行口座の認証情報を用いて支払われた金銭を受け取ることができる仕組みを提供することを目的とする。
【課題を解決するための手段】
【０００８】
本発明の一の観点にかかる支払処理システムは、受取者が開設した受取者口座情報を管理する第１の金融機関装置と、支払者が開設した支払者口座情報を管理する第２の金融機関装置と、上記受取者が入力操作する操作端末とを有し、上記各装置及び端末が相互に通信可能に構成されたシステムであって、上記第１の金融機関装置は、受取者口座の口座番号及び認証情報を含む受取者口座情報を記憶する第1の記憶手段と、上記操作端末から上記受取者口座の口座番号及び認証情報を受信する第1の受信手段と、受信した受取者口座の口座番号及び認証情報が、上記第１の記憶手段に記憶されている受取者口座情報に適合するか否かを判別する第１の判別手段と、上記操作端末に対して上記判別結果を送信する送信手段と、を有し、上記第２の金融機関装置は、上記支払者口座情報及び受取者が支払われた金銭を受け取るための口座情報を記憶する第２の記憶手段と、上記第１の金融機関装置により認証がされたことを表す認証済み情報と、上記受取者により入力された支払口座情報及び支払金額情報を受信する第２の受信手段と、上記認証済み情報を受信したか否か、及び上記受信した支払口座情報が上記第２の記憶手段に記憶されている支払口座情報に適合するか否かを判別する第２の判別手段と、認証済み情報を受信し、かつ、支払口座情報に適合すると判別された場合に、上記操作端末から受取者が入力した支払金額情報に基づいて支払口座から支払要求金額の支払い処理を行う取引処理手段とを有することを特徴とする支払処理システム。
【０００９】
本発明の別の観点にかかる支払処理システムは、受取者が開設した受取者口座情報を管理する第１の金融機関装置と、支払者が開設した支払者口座情報及び上記受取者が支払われた金銭を受け取るための支払口座情報を管理する第２の金融機関装置と、上記受取者が入力操作する操作端末と、上記操作端末から決済処理情報を受信して、上記各金融機関装置へ送信する中間処理装置とを有し、上記各装置及び端末が相互に通信可能に構成されたシステムであって、上記第１の金融機関装置は、受取者口座の口座番号及び認証情報を含む受取者口座情報を記憶する第1の記憶手段と、上記操作端末を介して入力された受取者口座の口座番号及び認証情報を受信する第1の受信手段と、受信した受取者口座の口座番号及び認証情報が、上記第１の記憶手段に記憶されている受取者口座情報に適合するか否かを判別する第１の判別手段と、上記判別結果を上記操作端末又は中間処理装置へ送信する送信手段とを有し、上記中間処理装置は、上記受取者口座の口座情報と上記支払口座情報とを関連付けて記憶する第３の記憶手段と、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する送信手段とを有し、上記第２の金融機関装置は、上記支払者口座情報及び支払口座情報を記憶する第２の記憶手段と、上記中間処理装置より、上記第１の金融機関装置により認証がされたことを表す認証済み情報と、上記受取者の支払口座情報及び支払金額情報を受信する第２の受信手段と、上記認証済み情報を受信したか否か及び、上記受信した支払口座情報が上記第２の記憶手段に記憶されている支払口座情報に適合するか否かを判別する第２の判別手段と、認証済み情報が通知され、かつ、支払口座情報に適合すると判別された場合に、上記受取者からの支払金額情報に基づいて、支払口座から支払要求金額の支払い処理を行う取引処理手段とを有することを特徴とする。
【００１０】
本発明の更に別の観点にかかる支払処理システムは、受取者が開設した受取者口座情報を管理する第１の金融機関装置と、支払者が開設した支払者口座情報及び上記受取者が支払われた金銭を受け取るための支払口座情報を管理する第２の金融機関装置と、上記受取者が操作する操作端末とを有し、上記各装置及び端末が相互に通信可能に構成されたシステムであって、上記第１の金融機関装置は、受取者口座の口座番号及び認証情報を含む受取者口座情報と上記支払口座情報とを関連付けて記憶する第1の記憶手段と、上記操作端末から上記受取者口座の口座番号及び認証情報を受信する第1の受信手段と、受信した受取者口座の口座番号及び認証情報が、上記第１の記憶手段に記憶されている受取者口座情報に適合するか否かを判別する第１の判別手段と、認証情報が適合する場合に、上記第２の金融機関装置に対して上記第１の記憶手段に当該受取者口座情報に関連付けて記憶されている支払口座情報を抽出し、抽出した支払口座情報と、認証済み情報及び支払い金額情報を送信する送信手段と、を有し、上記第２の金融機関装置は、上記支払者口座情報及び支払口座情報を記憶する第２の記憶手段と、上記第１の金融機関装置により認証がされたことを表す認証済み情報と、上記受取者により入力された支払口座情報及び支払金額情報を受信する第２の受信手段と、上記認証済み情報が通知されたか否か、及び上記受信した支払口座情報が上記第２の記憶手段に記憶されている支払口座情報に適合するか否かを判別する第２の判別手段と、認証済み情報が通知され、かつ、支払口座情報に適合すると判別された場合に、上記受取者からの支払金額情報に基づいて、支払口座から支払要求金額の支払い処理を行う取引処理手段と、を有することを特徴とする。
【００１１】
上記受取者が支払われた金銭を受け取るための口座情報は、上記支払者口座の記憶エリアの一部を分割して設けられ、上記受取者に対する支払いを行うための支払口座情報であってもよい。
【００１２】
本発明の一の観点にかかる金融機関装置は、受取者口座の口座番号及び認証情報を含む受取者口座情報を記憶する第１の記憶手段を有し、受取者が操作する操作端末から上記受取者口座の口座番号及び認証情報を受信して、受信した受取者口座の口座番号及び認証情報が、上記第１の記憶手段に記憶されている受取者口座番号及び認証情報に適合するか否かを判別する第１の金融機関装置と通信を介して接続された装置であって、上記支払者口座情報及び上記受取者が支払われた金銭を受け取るための支払口座情報を記憶する第２の記憶手段と、上記第１の金融機関装置により認証がされたことを表す認証済み情報と、上記操作端末から送信された支払口座情報及び支払金額情報を受信する第２の受信手段と、上記認証済み情報が通知されたか否か及び、上記受信した支払口座情報が上記第２の記憶手段に記憶されている支払口座情報に適合するか否かを判別する第２の判別手段と、認証済み情報が通知され、かつ、支払口座情報に適合すると判別された場合に、上記受取者からの支払金額情報に基づいて、支払口座から支払要求金額の支払い処理を行う取引処理手段とを有することを特徴とする。
【００１３】
本発明の一の観点にかかる決済銀行装置は、受取者口座の口座番号及び認証情報を含む受取者口座情報を記憶する第1の記憶手段を有し、受取者が操作する操作端末から上記受取者口座の口座番号及び認証情報を受信して、受信した受取者口座の口座番号及び認証情報が、上記第1の記憶手段に記憶されている受取者口座情報に適合するか否かを判別する第１の金融機関装置と、上記支払者口座情報及び上記受取者が支払われた金銭を受け取るための支払口座情報を記憶する第２の記憶手段を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成された装置であって、上記受取者口座の口座情報と上記支払口座情報とを関連付けて記憶する第３の記憶手段と、上記操作端末から送信された受取者口座の口座番号、認証情報及び支払いを要求する支払金額情報を受信する受信手段と、受信した受取者口座番号及び認証情報を上記第１の金融機関装置へ送信して認証要求を行う認証要求手段と、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる送信手段とを有することを特徴とする。
【００１４】
本発明の一の観点にかかる取引処理装置は、受取者口座の口座番号及び認証情報を含む受取者口座情報を記憶する第1の記憶手段を有し、入力された上記受取者口座の口座番号及び認証情報を受信して、受信した受取者口座の口座番号及び認証情報が、上記第１の記憶手段に記憶されている受取者口座情報に適合するか否かを判別する第１の金融機関装置と、上記支払者口座情報及び、上記受取者が支払われた金銭を受け取るための支払口座情報を記憶する第２の記憶手段を有し、上記第１の金融機関装置により認証がされたことを表す認証済み情報と上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成された取引処理装置であって、受取者から、受取者口座番号、当該受取者口座の認証情報、支払口座情報、及び支払金額情報の入力を受け付ける入力手段と、入力された受取者口座番号、当該受取者口座の認証情報を、上記第１の金融機関装置に送信して、受取者口座の認証要求を行う認証要求手段と、上記第１の金融機関装置から受取者口座情報が正しい旨の通知を受けた場合に、この認証済み情報と、上記入力された支払口座情報及び支払金額情報を、支払口座を管理している第２の金融機関装置へ送信する送信手段と、上記第２の金融機関装置から支払処理結果の通知を受信し、支払処理結果情報を出力する出力する出力手段とを有することを特徴とする。
【００１５】
本発明の一の観点にかかる取引処理装置は、受取者口座の口座番号及び認証情報を含む受取者口座情報を記憶する第1の記憶手段を有し、受取者が操作する端末から上記受取者口座の口座番号及び認証情報を受信して、受信した受取者口座の口座番号及び認証情報が、上記第1の記憶手段に記憶されている受取者口座情報に適合するか否かを判別する第１の金融機関装置と、上記支払者口座情報及び、上記受取者が支払われた金銭を受け取るための支払口座情報を記憶する第２の記憶手段を有し、上記第１の金融機関装置により認証がされたことを表す認証済み情報と、上記受取者の支払口座情報及び支払金額情報とを受信し、認証済み情報が通知され、かつ、支払口座情報に適合すると判別された場合に、上記受取者からの支払金額情報に基づいて、支払口座から支払要求金額の支払い処理を行う第２の金融機関装置と、上記受取者口座の口座情報と上記支払口座情報とを関連付けて記憶する第３の記憶手段を有し、受取者口座の口座番号、認証情報及び支払いを要求する支払金額情報を受信し、受信した受取者口座番号及び認証情報を上記第１の金融機関装置へ送信して認証要求を行い、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成された取引処理装置であって、受取者から、受取者口座番号、当該受取者口座の認証情報、支払口座情報、及び支払金額情報の入力を受け付ける入力手段と、入力された受取者口座番号、当該受取者口座の認証情報を、上記決済銀行装置に送信し、決済銀行装置を介して第１の金融機関装置に対して受取者口座の認証要求を行う認証要求手段と、上記決済銀行装置から受取者口座情報が正しい旨の通知を受けた場合に、この認証済み情報と、上記入力された支払口座情報及び支払金額情報を、支払口座を管理している第２の金融機関装置へ送信する送信手段と、上記第２の金融機関装置から支払処理結果の通知を受信し、支払処理結果情報を出力する出力する出力手段とを有することを特徴とする。
【００１６】
本発明の一の観点にかかる支払処理方法は、受取者が開設した受取者口座の口座番号及び認証情報を含む受取者口座情報を記憶する第１の記憶手段を有する第１の金融機関装置と、支払者が開設した支払者口座情報及び受取者が支払われた金銭を受け取るための口座情報を記憶する第２の記憶手段を有する第２の金融機関装置と、上記受取者が入力操作する操作端末とにより行われる方法であって、上記第１の金融機関装置が、上記操作端末から上記受取者口座の口座情報及び認証情報を受信する処理と、受信した受取者口座の口座情報及び認証情報が、上記第1の記憶手段に記憶されている受取者口座情報及び認証情報に適合するか否かを判別する処理と、上記操作端末に対して上記判別結果を送信する処理と行い、上記第２の金融機関装置が、上記第１の金融機関装置により認証がされたことを表す認証済み情報と、上記受取者により入力された支払口座情報及び支払金額情報を受信する処理と、上記認証済み情報が通知されたか否か、及び上記受信した支払口座情報が上記第２の記憶手段に記憶されている支払口座情報に適合するか否かを判別する処理と、認証済み情報を受信し、かつ、支払口座情報に適合すると判別された場合に、上記操作端末から受取者が入力した支払金額情報に基づいて支払口座から支払要求金額の支払い処理を行う処理とを行うことを特徴とする。
【００１７】
本発明の別の観点にかかる支払処理方法は、受取者が開設した受取者口座の口座番号及び認証情報を含む受取者口座情報を記憶する第１の記憶手段を有する第１の金融機関装置と、支払者が開設した支払者口座情報及び受取者が支払われた金銭を受け取るための口座情報を記憶する第２の記憶手段を有する第２の金融機関装置と、上記受取者が入力操作する操作端末と、上記操作端末から決済処理情報を受信して、上記受取者口座の口座情報と上記支払口座情報とを関連付けて記憶する第３の記憶手段を有する中間処理装置とにより行われる方法であって、上記第１の金融機関装置が、上記操作端末を介して入力された受取者口座の口座番号及び認証情報を受信する処理と、受信した受取者口座の口座番号及び認証情報が、上記第1の記憶手段に記憶されている受取者口座番号及び認証情報に適合するか否かを判別する処理と、上記判別結果を上記操作端末又は中間処理装置へ送信する処理とを行い、上記中間処理装置が、上記第１の金融機関装置による認証結果が適正であった場合、上記第３の記憶手段を参照して、当該受取者口座に関連付けられて記憶されている支払口座情報を抽出する処理と、抽出した支払口座を管理している上記第２の金融機関装置に対して、第１の金融機関装置により認証が完了したことを表す認証済み情報、抽出した支払口座情報及び支払金額情報を送信する処理とを行い、上記第２の金融機関装置が、上記中間処理装置より、上記第１の金融機関装置により認証がされたことを表す認証済み情報と、上記受取者の支払口座情報及び支払金額情報を受信する処理と、上記認証済み情報が通知されたか否か及び、上記受信した支払口座情報が上記第２の記憶手段に記憶されている支払口座情報に適合するか否かを判別する処理と、認証済み情報が通知され、かつ、支払口座情報に適合すると判別された場合に、上記受取者からの支払金額情報に基づいて、支払口座から支払要求金額の支払い処理とを行うことを特徴とする。
【００１８】
本発明の一の観点にかかる支払処理方法は、受取者が開設した受取者口座の口座番号及び認証情報を含む受取者口座情報と、第２の金融機関に設けられ受取者が支払われた金銭を受け取るための支払口座情報とを関連付けて記憶する第１の記憶手段を有する第１の金融機関装置と、支払者の支払者口座情報及び受取者が支払われた金銭を受け取るための支払口座情報を記憶する第２の記憶手段と、支払者が開設した支払者口座情報及び上記受取者が支払われた金銭を受け取るための支払口座情報を管理する第２の金融機関装置と、上記受取者が操作する操作端末とにより行われる方法であって、上記第１の金融機関装置が、上記操作端末から上記受取者口座の口座番号及び認証情報を受信する処理と、受信した受取者口座の口座番号及び認証情報が、上記第１の記憶手段に記憶されている受取者口座番号及び認証情報に適合するか否かを判別する第１の処理と、認証情報が適合する場合に、上記第２の金融機関装置に対して上記第1の記憶手段に当該受取者口座情報に関連付けて記憶されている支払口座情報を抽出し、抽出した支払口座情報と、認証済み情報及び支払い金額情報を送信する処理とを行い、上記第２の金融機関装置が、上記第１の金融機関装置により認証がされたことを表す認証済み情報と、上記受取者により入力された支払口座情報及び支払金額情報を受信する処理と、上記認証済み情報が通知されたか否か及び、上記受信した支払口座情報が上記第２の記憶手段に記憶されている支払口座情報に適合するか否かを判別する処理と、認証済み情報が通知され、かつ、支払口座情報に適合すると判別された場合に、上記受取者からの支払金額情報に基づいて、支払口座から支払要求金額を支払う処理とを行うことを特徴とする。
【００１９】
本発明のさらに別の観点にかかる支払処理方法は、受取者口座の口座番号及び認証情報を含む受取者口座情報を記憶する第１の記憶手段を有し、受取者が操作する操作端末から上記受取者口座の口座番号及び認証情報を受信して、受信した受取者口座の口座番号及び認証情報が、上記第１の記憶手段に記憶されている受取者口座番号及び認証情報に適合するか否かを判別する第１の金融機関装置と通信を介して接続されたコンピュータ装置により行われる方法であって、上記コンピュータ装置が、上記支払者口座情報及び上記受取者が支払われた金銭を受け取るための支払口座情報を記憶する第２の記憶手段を有し、上記第１の金融機関装置により認証がされたことを表す認証済み情報と、上記操作端末から送信された支払口座情報及び支払金額情報を受信する処理と、上記認証済み情報が通知されたか否か及び、上記受信した支払口座情報が上記第２の記憶手段に記憶されている支払口座情報に適合するか否かを判別する処理と、認証済み情報が通知され、かつ、支払口座情報に適合すると判別された場合に、上記受取者からの支払金額情報に基づいて、支払口座から支払要求金額を支払う処理とを行うことを特徴とする。
【００２０】
本発明の一の観点にかかる支払処理方法は、受取者口座情報を有し、認証要求に応じて受取者口座情報の認証処理を行う第１の金融機関装置と、支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、それぞれ通信を介して接続可能に構成されたコンピュータ装置により行われる方法であって、上記コンピュータ装置が、上記受取者口座の口座情報と上記支払口座情報とを関連付けて記憶する第３の記憶手段を有し、上記操作端末から送信された受取者口座の口座番号、認証情報及び支払いを要求する支払金額情報を受信する処理と、受信した受取者口座番号及び認証情報を上記第１の金融機関装置へ送信して認証要求を行う処理と、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる処理とを行うことを特徴とする。
【００２１】
本発明の更に別の観点にかかる支払処理方法は、受取者口座情報を有し、受取者口座情報の認証を行う第１の金融機関装置と、上記支払者口座情報及び、上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成されたコンピュータ装置により実行される装置であって、受取者から、受取者口座番号、当該受取者口座の認証情報、支払口座情報、及び支払金額情報の入力を受け付ける処理と、入力された受取者口座番号、当該受取者口座の認証情報を、上記第１の金融機関装置に送信して、受取者口座の認証要求を行う処理と、上記第１の金融機関装置から受取者口座情報が正しい旨の通知を受けた場合に、この認証済み情報と、上記入力された支払口座情報及び支払金額情報を、支払口座を管理している第２の金融機関装置へ送信する処理と、上記第２の金融機関装置から支払処理結果の通知を受信し、支払処理結果情報を出力する出力する処理とを行うことを特徴とする。
【００２２】
本発明の更に別の観点にかかる支払処理方法は、受取者口座情報を有し、受信した受取者口座情報の認証処理を行う第１の金融機関装置と、上記支払者の支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、上記受取者口座の口座情報と上記支払口座情報とを関連付けて記憶し、受信した受取者口座番号及び認証情報を上記第１の金融機関装置へ送信して認証要求を行い、上記第１の金融機関装置による認証結果が適正であった場合、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成されたコンピュータ装置により行われる方法であって、受取者から、受取者口座番号、当該受取者口座の認証情報、支払口座情報、及び支払金額情報の入力を受け付ける処理と、入力された受取者口座番号、当該受取者口座の認証情報を、上記決済銀行装置に送信し、決済銀行装置を介して第１の金融機関装置に対して受取者口座の認証要求を行う処理と、上記決済銀行装置から受取者口座情報が正しい旨の通知を受けた場合に、この認証済み情報と、上記入力された支払口座情報及び支払金額情報を支払口座を管理している第２の金融機関装置へ送信する処理と、上記第２の金融機関装置から支払処理結果の通知を受信し、支払処理結果情報を出力する出力する処理とを行うことを特徴とする。
【００２３】
本発明の一の観点にかかるコンピュータプログラムは、受取者口座情報を有し、認証要求に応じて受取者口座情報の認証処理を行う第１の金融機関装置と、支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、それぞれ通信を介して接続可能に構成され、上記受取者口座の口座情報と上記支払口座情報とを関連付けて記憶する第３の記憶手段を有するコンピュータを、決済銀行装置として機能させるコンピュータプログラムであって、上記コンピュータに対して、上記操作端末から送信された受取者口座の口座番号、認証情報及び支払いを要求する支払金額情報を受信する処理と、受信した受取者口座番号及び認証情報を上記第１の金融機関装置へ送信して認証要求を行う処理と、上記第１の金融機関装置による認証結果が適正であった場合、上記第３の記憶手段を参照して、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信することにより、支払口座からの支払い処理を行わせる処理とを実行させることを特徴とする。
【００２４】
本発明の別の観点にかかるコンピュータプログラムは、受取者口座情報を有し、受取者口座情報の認証を行う第１の金融機関装置と、上記支払者口座情報及び、上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、通信を介して接続可能に構成されたコンピュータを操作端末として機能させるためのコンピュータプログラムであって、上記コンピュータに対して、受取者から、受取者口座番号、当該受取者口座の認証情報、支払口座情報、及び支払金額情報の入力を受け付ける処理と、入力された受取者口座番号、当該受取者口座の認証情報を、上記第１の金融機関装置に送信して、受取者口座の認証要求を行う処理と、上記第１の金融機関装置から受取者口座情報が正しい旨の通知を受けた場合に、この認証済み情報と、上記入力された支払口座情報及び支払金額情報を、支払口座を管理している第２の金融機関装置へ送信する処理と、上記第２の金融機関装置から支払処理結果の通知を受信し、支払処理結果情報を出力する出力する処理とを実行させることを特徴とする。
【００２５】
本発明の更に別の観点にかかるコンピュータプログラムは、受取者口座情報を有し、受信した受取者口座情報の認証処理を行う第１の金融機関装置と、上記支払者の支払者口座情報及び上記受取者が支払われた金銭を受け取るための支払口座情報を有し、上記第１の金融機関装置により認証がされたことを表す認証済み情報と、上記受取者の支払口座情報及び支払金額情報を受信し、認証済み情報が通知され、かつ、支払口座情報に適合すると判別された場合に、上記受取者からの支払金額情報に基づいて、支払口座から支払要求金額の支払い処理を行う第２の金融機関装置と、上記受取者口座の口座情報と上記支払口座情報とを関連付けて記憶し、受信した受取者口座番号及び認証情報を上記第１の金融機関装置へ送信して認証要求を行い、上記第１の金融機関装置による認証結果が適正であった場合、当該受取者口座に関連付けられて記憶されている支払口座情報を抽出し、抽出した支払口座を管理している上記第２の金融機関装置に対して、第１の金融機関装置により認証が完了したことを表す認証済み情報、抽出した支払口座情報及び支払金額情報を送信する中間処理装置と、通信を介して接続可能に構成されたコンピュータを、支払者が操作する操作端末として機能させるためのコンピュータプログラムであって、上記コンピュータに対して、受取者から、受取者口座番号、当該受取者口座の認証情報、支払口座情報、及び支払金額情報の入力を受け付ける処理と、入力された受取者口座番号、当該受取者口座の認証情報を、上記決済銀行装置に送信し、決済銀行装置を介して第１の金融機関装置に対して受取者口座の認証要求を行う処理と、上記決済銀行装置から受取者口座情報が正しい旨の通知を受けた場合に、この認証済み情報と、上記入力された支払口座情報及び支払金額情報を支払口座を管理している第２の金融機関装置へ送信する処理と、上記第２の金融機関装置から支払処理結果の通知を受信し、支払処理結果情報を出力する出力する処理とを実行させることを特徴とする。
【発明の効果】
【００２６】
本発明によれば、支払人から受取人に対して、金融機関の口座を利用して即時的、効率的に支払いを行うことができる。
また、本発明の別の目的として、受取人が予め保有していた銀行口座の金融機関とは異なる金融機関が支払い先として指定された場合でも、当該指定された金融機関の口座情報を用いて支払われた金銭を受け取ることができるとともに、受取人が保持している銀行口座の認証情報を用いて支払われた金銭を受け取ることができる。
【発明を実施するための最良の形態】
【００２７】
以下、本発明にかかる支払システムを、雇用者から従業者に対して賃金を支払う賃金支払処理システムに適用した一実施の形態について図面を参照して説明する。
図１は賃金支払システムの一例を概略的に示す全体構成図である。図１において、本実施形態にかかるシステムは、従業者口座を管理している金融機関Ａシステム１、雇用者口座を管理している金融機関Ｂシステム２、従業者等からの取引情報の入力を受付けるＡＴＭ装置４、これら金融機関Ａシステム１、金融機関Ｂシステム２、ＡＴＭ装置４との間でやり取りされるデータのスイッチングを行う銀行間サーバ３、従業者が保有している従業者口座のキャッシュカード５から構成されている。
【００２８】
金融機関Ａシステム１は、従業者が開設した取引口座である従業者口座が開設され、この従業者口座により取引処理を行う金融機関Ａ（Ａ銀行）のコンピュータシステムである。この金融機関Ａシステム１は、金融機関Ａに開設されている銀行口座の情報をデータベース化した口座マスタデータベース１１を有している。この口座マスタデータベース１１には、金融機関コード、支店コードなどの金融機関情報と、口座毎の口座番号、口座名義、口座種別、取引日付、取引金額、残高などの口座情報が記憶できる記憶エリアが設けられている。これにより、従業者口座の情報として、当該従業者口座の金融機関コード、支店コード、口座番号、口座名義、口座種別、取引日付、取引金額、残高が記憶できるようになっている。
そして、金融機関Ａシステム１は、銀行間サーバ３を介して、ＡＴＭ装置４から送信された口座番号、従業者が入力した認証情報としての暗証番号を受信する受信処理部と、口座マスタデータベース１１を参照して、受信したこれら口座番号及び暗証番号が口座マスタデータベース１１に記憶されている口座番号及び暗証番号に適合するか否かを判別する認証処理部、この認証結果などの情報を銀行間サーバ３を介してＡＴＭ装置４に通知する送信処理部を有している。これにより、金融機関Ａシステム１は、ＡＴＭ装置４から送信された、従業者のキャッシュカード５の情報（従業者口座情報）及び、入力された暗証番号の認証処理を行い、その結果をＡＴＭ装置４に送信できるようになっている。
また、金融機関Ａシステム１は、従業者口座マスタデータベース１１に記憶されている従業者の口座情報に基づいて入金、出金、振替、振込などの取引処理を行うように構成されている。また、金融機関Ａシステム１は、銀行間サーバ３を介して、金融機関Ｂシステム２などの他の金融機関から通知された振替処理情報に基づいて、従業者口座への振替処理を行うことができる。
【００２９】
金融機関Ｂシステム２は、雇用者が開設した取引口座である雇用者口座が開設され、この雇用者口座により、引出、振替、振込などの取引処理を行う金融機関Ｂ（Ｂ銀行）のコンピュータシステムである。
この金融機関Ｂシステム２は、図２に示すように、口座マスタデータベース（ＤＢ）２１、従業員データベース（ＤＢ）２２、受信処理部２３、認証処理部２４、送信処理部２５、取引処理部２６を有している。
口座マスタデータベース２１は、金融機関コード、支店コードなどの金融機関情報と、図３に示すように、口座毎の口座番号、暗証番号などの認証情報、口座名義、口座種別、取引日付、取引金額、残高からなる雇用者口座情報が記憶できるようになっている。また、口座マスタデータベース２１には、雇用者が従業者へ賃金を支払うための支払口座情報が、雇用者口座情報の記憶エリアの一部を分割することにより設けられている。
この雇用者口座情報としては、雇用者口座情報に関連付けられた支払口座番号、口座名義、取引日付、取引金額、残高が記憶できるようになっている。この支払口座は、雇用者口座の記憶エリアの一部を分割することにより設けられた口座であって、従業者が賃金の受取を行うために開設した仮想的な口座である。このように、雇用者口座の一部を分割して支払口座を設けることで、雇用者口座と支払口座とは関連付けられている。そして、支払口座は、当該雇用者が従業者用に開設して、各従業者に割り当てたものであり、この支払口座情報は、雇用した時に雇用者から従業者に対してメール又は書面により通知されている。この口座には雇用者からの給与振込と、従業者による支払（引出、振替、振込）だけが出来る口座として設定されている。従って、従業者が支払口座に入金したり、雇用者が勝手に引き出しが出来ないようになっている。
なお、本例では、支払口座番号の最初の数桁により金融機関及び支店コードとなり、次の1桁で支払口座であることを表し、残りの桁数で個々の支払口座を識別できるようになっている。なお、支払口座に対しても認証情報を設定してもよい。
なお、本例では口座マスタデータベース１１に全ての情報を記憶させているが、口座番号、口座名義、認証情報などを記憶するマスタＤＢと口座毎に取引履歴を記憶する取引ＤＢに分けて構成してもよい。
【００３０】
従業者データベース（ＤＢ）２２は、従業者に関する情報をデータベース化したものである。この従業者データベース２２には、図４に示すように、従業者を識別するための従業者ＩＤ、従業者名、住所、性別、生年月日、従業者口座情報、支払口座番号が記憶できるようになっている。この従業者口座番号は、従業者が他の金融機関で開設している取引口座に関する口座情報であり、本例では、従業者が口座を開設している金融機関Ａの金融機関コード、支店コード、口座番号などの情報が記憶できるようになっている。なお、この従業者データベース（ＤＢ）２２は金融機関に設けなくともよく任意である。
【００３１】
受信処理部２３は、所定のプロトコルに基づいて、銀行間サーバ３から送信された電文データを受信する処理を行う。これにより、ＡＴＭ装置４又は金融機関Ａシステム１などの他の金融機関システムから送信されたデータを、銀行間サーバ３を介して受信することができる。
【００３２】
認証処理部２４は、受信した口座番号及び認証情報としての暗証番号の認証処理を行う。この認証処理は、認証処理部２４が、口座マスタデータベース２１を参照して、受信した雇用者口座の口座番号や支払口座の支払口座番号が存在するか否か、また入力された雇用者口座の暗証番号が口座マスタデータベース２１に記憶されている暗証番号に合致するか否か判別することで認証処理を行うようになっている。
また、認証処理部２４は、支払口座からの引出、振替などの支払要求があった時には、金融機関Ａシステム１での認証済み情報があり、かつ、通知された支払口座情報が口座マスタデータベース２１に存在しているか否か判別する処理を行う。
【００３３】
送信処理部２５は、取引処理データや通知データを送信する処理を行う。
この送信に際しては、送信処理部２５は銀行間サーバ３に対して、予め決められたプロトコル、電文フォーマットに従ってデータを送信する処理を行う。
【００３４】
取引処理部２６は、引出、入金、振込、振替、残高照会などの取引処理を行う。これらの処理は、取引処理部２６が口座マスタデータベース２１に記憶されている口座データを参照して行う。取引処理部２６は、口座マスタデータベース２１を参照して、引出の場合には処理要求された口座の残高から引出要求された金額を差し引いて取引履歴情を記憶すると共に、ＡＴＭ装置４に対して出金処理指示を行う。また、振込処理の場合には指定された振込元口座の残高から振込金額を差し引くと共に、振込先口座の残高に振り込み金額を加算し、取引履歴情報を記憶するなどの処理を行う。また、振込先口座が他の金融機関の場合には、銀行間サーバ３を介して当該他の金融機関に対して振込金額情報を通知するなどして振り込み処理要求を行う。
また、取引処理部２６は、雇用者からの賃金支払要求により、雇用者口座から従業者の支払口座に対して賃金の振込処理を行う。
また、取引処理部２６は、ＡＴＭ装置４から支払口座からの引出や振替などの処理要求に対して、要求された支払口座から支払、振込処理を行う。
【００３５】
銀行間サーバ３は、金融機関Ａシステム１、金融機関Ｂシステム２、及びＡＴＭ装置４との間でやり取りされるデータを指定された装置又は端末に送るためにデータをスイッチングする処理を行う。このスイッチング処理は、図示しない金融機関やＡＴＭ装置等ごとに割り当てられたコードマスタに基づいて、電文中の金融機関コードから該当する金融機関等を検索し、当該マスタに登録されているアドレスに対して電文を送信することにより処理を行う。これにより、銀行間サーバ３は、複数の金融機関同士、あるいはこれら金融機関とＡＴＭ装置４間との間でのデータのやり取りを中継する機能を持っている。
【００３６】
ＡＴＭ装置４は、金融機関に設置された現金預払装置である。
このＡＴＭ装置４は、図５に示すように記憶部４１、送受信処理部４２、入力受付部４３、画面表示制御部４４、カード処理部４５、現金処理部４６を有している。
記憶部４１は取引データを記憶することができる記憶部である。この記憶部４１にはＡＴＭ装置４を利用するユーザが入力した情報を記憶したり、また金融機関システムから通知された情報を一時的又は継続的に記憶することができる。
【００３７】
送受信処理部４２は、銀行間サーバ３から送られた送信データを受信したり、またＡＴＭ装置４で生成した送信データを銀行間サーバ３を介して、金融機関システムへ送信する処理を行う。送信処理部４２は、所定のプロトコルに基づいて、あらかじめ決められた電文フォーマットにしたがって、これら送信データの送受信を行うようになっている。
【００３８】
入力受付部４３は、ＡＴＭ装置４を使用するユーザが入力した情報を受け付ける処理を行う。この入力受付部４３は、ユーザがタッチ画面やＡＴＭ装置に設けられたテンキーを押下して入力した数字や文字などの情報の入力を受け付ける処理を行う。これにより、入力受付部４３が、ユーザにより入力した口座番号や暗証番号、また振込先の情報などの情報の入力を受け、これを取引データとする処理行うようになっている。
【００３９】
画面表示制御部４４は、取引画面やタッチ画面への入力画面を表示する処理を行う。これら取引画面のデータはあらかじめ記憶部４１に記憶しておき、取引ごとに必要な取引画面が表示できるようになっている。
【００４０】
カード処理部４５は、図示しないカードリーダを制御することにより、ＡＴＭ利用ユーザから挿入されたキャッシュカード５から情報を読み取る処理を行う。具体的には、カード処理部４５はキャッシュカード５から、金融機関コード、支店コード、口座種別、口座番号、口座名義などのデータを読み取ることができる。なお、このキャッシュカード５は磁気カード、ＩＣカード、光学式のカードなどいずれのカードであってもよい。
現金処理部４６は、現金の預け払いの処理を行う。現金処理部４６は引出の際には、金融機関システムにより引出が認められた場合には、要求された金額の現金を払いだす処理を行う。また現金による振込みなどの場合には、ユーザにより投入された現金の真偽を判別し、計数する処理を行う。
【００４１】
キャッシュカード５は、金融機関が発行したキャッシュカードである。このキャッシュカード５は磁気カード、ICカード、光学式のカードなどいずれであってもよい。このキャッシュカード５には、金融機関コード、支店コード、口座種別、口座番号、口座名義人などの情報が記憶されている。
なお、本例では、従業者が金融機関Ａに保有している従業者口座に対してキャッシュカード５が発行されており、金融機関Ｂに開設されている従業者支払口座に対してはこのキャッシュカード５は発行されていない。
【００４２】
次に上述のシステムによる支払処理方法の例について説明する。まず、図1を参照してシステム全体の処理の流れについて説明する。なお、図1の例では、従業者はあらかじめ金融機関Ａに従業者口座を開設しており、この従業者口座で取引を行うためのキャッシュカード５が発行されている。また、雇用者は金融機関Ｂに雇用者口座を開設し、この雇用者口座に従業者に対する賃金支払用の支払口座が設けられている状態とする。
この状態で、従業者が、雇用者により金融機関Ｂの支払口座に入金されたお金を引き出す場合、まず従業者が保有している金融機関Ａのキャッシュカード５をＡＴＭ装置４に挿入して、暗証番号を入力すると、ＡＴＭ装置４は、入力されたカードから読み取った金融機関コード、支店コード、口座種別、口座番号と、入力された暗証番号を銀行間サーバ３を介して金融機関Ａシステムへ送信して認証要求を行う（Ｓ１、Ｓ２)。
【００４３】
金融機関Ａシステムでは、口座マスタデータベース１１を参照して、受信した従業者口座番号、暗証番号が正しいか否か認証し（Ｓ３）、その認証結果を銀行間サーバ３を介して要求元のＡＴＭ装置４に認証結果を通知する（Ｓ４、Ｓ５）。
【００４４】
認証の結果、入力された口座番号及び暗証番号が適正な場合には、ＡＴＭ装置４はこの認証済み結果を一時記憶しておくと共に、従業者に対してＡＴＭ装置４が支払口座番号の入力及び支払口座が設けられている金融機関及び支店名の選択入力を要求するメッセージ及び支払金額の入力を要求する画面を表示する。これに基づいて従業者が支払口座番号、支払要求金額を入力すると、入力された支払口座番号と金融機関Ａによる認証済み情報を銀行間サーバ３を介して金融機関システムＢへ送信する（Ｓ６、７）。
【００４５】
金融機関Ｂシステム２では、金融機関Ａによる認証済情報があるか否か、及び口座マスタデータベース２１を参照して支払口座番号が存在するか否かの認証処理を行う（Ｓ８）。
そして、認証結果及び支払口座残高を銀行間サーバ３を介してＡＴＭ装置４へ通知する（Ｓ９，Ｓ１０）。
【００４６】
ＡＴＭ装置４では、認証結果が正しかった場合、支払口座残高を表示して、支払金額の入力を要求し、これに応じて従業者が支払金額を入力すると、入力された支払要求金額を銀行間サーバ３を介して金融機関Ｂシステム２へ送信する（Ｓ１１，Ｓ１２）。
金融機関Ｂシステム２は、支払要求金額が支払可能か否か判別し（Ｓ１３）、支払可能な場合には、銀行間サーバ３を介して支払処理通知を送信する（Ｓ１４）。
これにより、ＡＴＭ装置４では、引出の場合は、支払要求された現金の払い出しを行うことで、従業者は支払口座から現金の支払を受けることができる。
【００４７】
次に、上述の支払い方法におけるＡＴＭ装置４の処理の詳細について図６を参照して説明する。
図６において、まずＡＴＭ装置４の画面表示制御部４４が、タッチ画面上に取引選択画面を表示する（Ｓ１０１）。この取引処理画面としては、図９に示すように、ＡＴＭ装置４のタッチオ画面上に「預け入れ」「引き出し」「残高照会「記帳」などの取引処理メニューを表示し、この中から所望の取引を選択できるようになっている。
【００４８】
この状態で従業者が「残高照会」を選択すると、ＡＴＭ装置の入力受付部４３が残高照会選択を検知し、画面面表示処理部４４が図１０に示すようにカード入力要求画面を表示する（Ｓ１０２）。
カード入力画面に応じてカード処理部４５がカードが挿入されたか否かを判別する（Ｓ１０３）。
キャッシュカード５が挿入されると、カード処理部４５がキャッシュカード５から銀行コード、支店コード、口座番号を読み取り、記憶部４１に一時的に記憶する（Ｓ１０４）。
また画面表示制御部４４が、図１１に示すようにタッチ画面上に暗証番号入力用のキーを表示させ、暗証番号の入力を要求する（Ｓ１０５）。なお、暗証番号の入力は、ＡＴＭ装置４に設けられたテンキーから行うようにしてもよい。
【００４９】
入力受付部４３は暗証番号が入力されたか否か判別し（Ｓ１０６）、暗証番号が入力されると入力された暗証番号を受け付け、送受信処理部４２が入力された暗証番号と、記憶部４１に記憶しておいた銀行コード、支店コード、口座番号を銀行間サーバ３に送信する（Ｓ１０７）。これにより、銀行間サーバ３では金融機関コード、支店コードから金融機関Ａシステム１へこれらのデータを送り、金融機関Ａシステム１で認証処理が行われる。
【００５０】
送受信処理部４２は、銀行間サーバ３を介して金融機関Ａシステム１から認証の通知があったか否かを判別する（Ｓ１０８）。
認証通知がない場合、又は認証の結果正しくなかった場合には、画面表示制御部４４が、認証の結果処理することができない旨のメッセージを表示して処理を終了する。
また、認証の結果、口座番号及び暗証番号が適正であった場合には、画面表示制御部４４が、金融機関Ａシステム１から通された従業者口座残高と取引選択を図１２に示すようにタッチ画面上に表示する（Ｓ１０９）。図１２の例では、従業者口座の残高を表示１２１を行うと共に、従業者口座からの引き出し処理を継続するための引出ボタン１２２、また支払口座からの引出を選択するボタン１２３、処理を中止するキャンセルボタン１２４が表示される。
【００５１】
この状態で入力受付部４３はいずれの処理が選択されたか判別する（Ｓ１１０）。
支払が選択された場合には、入力受付部４３は支払処理が選択されたことを検知し、支払処理へ移行する。また、キャンセルが選択された場合には処理を中止する。
また、支払口座からの引出が選択された場合には、画面表示制御部４４が図１３に示すように支払口座情報の入力画面を表示する（Ｓ１１１）。
図１３に示した例では、支払口座が設けられている銀行（金融機関）を選択するための選択ボタン１３１、支払口座の口座番号を入力するための支払口座番号入力エリア、引出処理を行う引出ボタン１３３、振込み処理を行う振込ボタン１３４、取引中止する中止ボタン１３５が表示されている。この選択ボタン１３１を押すことで、支払口座即ち雇用者口座が設けられている金融機関と支店を選択することができる。また、支払口座番号はＡＴＭ装置４のテンキーから入力してもよいし、タッチ画面上にテンキーを表示して入力するようにしてもよい。なお、金融機関、支店の選択画面と、支払口座番号の入力画面とを別画面としてもよい。
【００５２】
引き続き図７を参照して、入力受付部４３は画面上に入力された支払口座が設けられている銀行情報、支払口座番号の入力を受け付けると共に、引出ボタン１３３、振込ボタン１３４、中止ボタン１３５のいずれの処理が選択されたか判別する（Ｓ１１２）。
中止が選択された場合には、処理を中止して初期画面状態に戻る。
また引出ボタン１３３が選択された場合には、送受信処理部４２が、入力された支払口座が設けられている銀行情報、支払口座情報と、金融機関Ａシステム１により認証がされていることをあらわす認証済み情報を銀行間サーバ３へ送信して、支払口座の残高照会を行う（Ｓ１１３）。
この認証済み情報は、送信電文中のあるエリアに他の金融機関で認証済みであることをあらわすフラグを記憶しておくことにより行うことができる。この認証済み情報に当該認証を行った金融機関の金融機関コード、支店コードなどを含めてもよい。
これにより銀行間サーバ３が受信した銀行情報に基づいて、支払口座が開設されている金融機関Ｂシステム２へこれらの情報を送信し、金融機関システムＢでは認証済みであること、受信した支払口座の情報が口座マスタデータベースに存在するか否か判別し、そして存在する場合には、その残高情報を銀行間サーバ３を介して返信する。
【００５３】
銀行間サーバ３を介して金融機関Ｂシステム２から残高通知があると、送受信処理部４２がこの残高通知を受信し、画面表示制御部４４が図１４に示すように支払口座の残高を表示するとともに、引き出し金額の入力を要求する（Ｓ１１４）。
図１４に示した例では、支払口座の残高１４１を表示すると共に、支払金額入力エリア１４２を設け、ＡＴＭ装置４のテンキーにより支払金額を入力できるようにしていている。そして、金額の確認を行う確認ボタン１４３、処理を中止する中止ボタン１４４が表示される。なお、金額の入力はタッチ画面上にテンキーを表示して入力を受け付けるようにしてもよい。
【００５４】
入力受付部４３は、金額が入力され確認ボタン１４３が押されて入力確認の入力がされたか否か判別する（Ｓ１１５）。
判別の結果、中止ボタンが押された場合には、処理を終了して初期画面に戻る。
また確認ボタンが押されたことを検知した場合には、送受信処理部４２が引出金額情報を銀行間サーバ３を介して金融機関Ｂシステム２へ送信する（Ｓ１１６）。
これにより、金融機関Ｂシステム２では、要求された支払金額が、支払口座の残高以上であるか否かを判別し、支払可能な場合には現金による支払処理通知を行う。
【００５５】
送受信処理部４２は、金融機関Ｂシステム２から引出処理を許可する通知があったか否か判別する（Ｓ１１７）。
判別の結果、引き出しできない場合には、処理を終了して初期画面に戻る。
また、引出処理を許可する旨の通知があった場合には、現金処理部４６が支払い要求された現金を払いだす払い出し処理を行い（Ｓ１１８）、処理を終了する。
これにより、従業者は支払口座から所望の現金の支払を受けることができる。
【００５６】
また、上述のＳ１１２の処理で振込みが選択された場合のＡＴＭ装置４の処理を図８を参照して説明する。
図８において、振込み処理が選択されると、送受信処理部４２が、入力された支払口座が設けられている銀行情報、支払口座情報と、金融機関Ａシステム１により認証がされていることをあらわす認証済み情報を銀行間サーバ３へ送信して、支払口座の残高照会を行う（Ｓ１２０）。
銀行間サーバ３を介して金融機関Ｂシステム２から残高通知があると、送受信処理部４２がこの残高通知を受信し、画面表示制御部４４が図１５に示すように支払口座の残高を表示するとともに、当該従業者口座への振込み金額の入力を要求する振込み金額入力要求画面を表示する（Ｓ１２１）。
図１５に示した例では、支払口座の残高１５１を表示すると共に、振込金額入力エリア１５２を設け、ＡＴＭ装置４のテンキーにより支払金額を入力できるようにしていている。そして、金額の確認を行う確認ボタン１５３、処理を中止する中止ボタン１５４が表示される。なお、金額の入力はタッチ画面上にテンキーを表示して入力を受け付けるようにしてもよい。
【００５７】
入力受付部４３は、金額が入力され確認ボタン１４３が押されて確認の入力がされたか否か判別する（Ｓ１２２）。
判別の結果、中止ボタンが押された場合には、処理を終了して初期画面に戻る。
また確認ボタンが押されたことを検知した場合には、送受信処理部４２が振込金額情報、キャッシュカード５の情報を銀行間サーバ３を介して金融機関Ｂシステム２へ送信する（Ｓ１２３）。
これにより、金融機関Ｂシステム２では、要求された振込金額が、支払口座の残高以上であるか否かを判別し、振込可能な場合には、銀行間サーバ３を介してキャッシュカード５の情報に基づき、従業者口座が設けられている金融機関Ａシステム１に対して振込処理通知を行う。
【００５８】
送受信処理部４２は、金融機関Ｂシステム２から振込処理結果が通知されたか否か判別する（Ｓ１２３）。
判別の結果、振込処理ができない場合には、処理を終了して初期画面に戻る。
また、振込処理結果を受信した場合には、画面表示制御部４４が振込処理の結果を画面に表示して（Ｓ１２５）、処理を終了する。
これにより、支払口座から従業者がいつも利用している従業者口座へ振込処理を行うことができる。
【００５９】
なお、Ｓ１１３の残高照会したあと、図１５に示すように、従業者口座の口座残高と、支払口座の口座残高とをあわせて表示し、これらの口座の中かな選択して、あるいは、二つの口座からあわせて引出行うようにしてもよい。
図１５に示した例では、従業者口座の口座残高１５１、支払口座の残高１５２、支払金額入力エリア１５３、支払ボタン１５４、中止ボタン１５５が表示される。
ここで、支払金額を入力して、入力された金額を従業者口座から引き出し、足りない分については、支払口座から引き出すようにしてもよい。また、逆に支払口座からでは足りない分を従業者口座から引き出すようにしてもよい。
また、さらに選択ボタンを設けていずれかの口座から引出ができるようにしてもよい。
【００６０】
次に、上述の支払処理方法における金融機関Ｂシステムの処理の詳細について図１６を参照して説明する。
なお、すでにＡＴＭ装置４と金融機関Ａシステム１との間でキャッシュカード５の認証処理が完了しているものとする。
図１６において、銀行間サーバ３を介して、支払口座からの取引要求情報とともに、ＡＴＭ装置４から支払口座番号などの支払口座情報、及び金融機関Ａシステム１による認証情報が送信されると、受信処理部２３が支払口座情報及び認証済み情報を受信する（Ｓ２０１）。
認証処理部２４は、支払口座からの取引要求を受信すると、他の金融機関システムによる認証済み情報があるか否か判別する（Ｓ２０２）。
なお、この際、認証処理部２４が、認証済み情報に含まれている金融機関コードから、認証を行った金融機関Ａシステム１に対して、認証情報が正しいか否かの問い合わせを行うようにしてもよい。
判別の結果、認証済み情報がない場合には、取引を拒否して処理を終了する。
【００６１】
判別の結果、認証済み情報ありと判別された場合には、認証処理部２４は、口座マスタデータベース２２を参照して、受信した支払口座情報に対応する口座情報が存在するか否か判別する（Ｓ２０３）。この判別は、受信した支払口座情報の口座番号が存在しているか否かを判別することにより行う。
その結果、口座マスタデータベース２１に支払口座情報が存在していない場合には、取引を拒否して処理を終了する。
【００６２】
また、判別の結果、支払口座情報がある場合には、取引処理部２６が口座マスタデータベース２１から当該支払口座の口座残高を抽出し、送信処理部２５から銀行間サーバ３を介して受信したＡＴＭ装置４へ支払口座残高情報を送信する（Ｓ２０４）。
【００６３】
取引処理部２６は、ＡＴＭ装置４から支払要求金額を受信するまで待機する（Ｓ２０５）。
ＡＴＭ装置４から従業者により支払要求された支払要求金額を受信すると、取引処理部２６は支払要求金額が当該支払口座残高以下であるか否かを判別する（Ｓ２０６）。
判別の結果、支払要求金額が支払口座残高を超えている場合には、支払処理ができない旨を通知して、処理を終了する。
また、判別の結果、支払要求金額が支払口座残高以下である場合には、取引処理部２６は、口座マスタデータベース２１に記憶されている口座残高から今回の支払要求残高を差し引いて、取引後の口座残高を計算する（Ｓ２０７）。
この処理は引き出しの場合も、支払口座から従業者口座への振込の場合も同様である。
そして、取引処理部２６はＡＴＭ装置４に対して引き出しの承認金額を含む引出承認通知情報と、取引後の残高を、送信処理部２５から送信して（Ｓ２０８）、処理を終了する。
なお、支払口座から従業者口座への振り込みの場合には、金融機関Ａシステム１に対して、引出承認通知情報を通知する。
【００６４】
このように、上述の実施形態によれば、支払者である雇用者は、支払口座に賃金を振込むだけでよいから、わざわざ従業者ごとに金融機関を特定する必要がなく、振込処理を効率的に行うことができるし、また振込手数料も安くできる。
また、受取者である従業者は、わざわざ支払口座用のキャッシュカードを持つ必要がなく従業者口座ようのキャッシュカード１枚でどちらの口座からも取引を行うことができる。
【００６５】
また、金融機関Ｂにとっても、口座数自体は多くならないため口座マスタデータベース２１の記憶エリアを効率的に利用できるし、口座管理の手間を軽減することができる。
また、金融機関Ｂは支払口座用のキャッシュカードを発行する必要がないため、発行コストを軽減すことができる。
また、金融機関Ａによる認証がなければ支払口座から支払処理を行えないため、雇用者が勝手に支払口座から支払を受けることはできず、安全性を保つことができる。
【００６６】
上述の実施形態では、従業者が支払口座情報を入力する例について説明したが、決済銀行システムを設けて、この決済銀行システムで従業者口座と支払口座とを関連付けるようにしてもよい。なお、上述の実施形態と同一の構成については同一の符号を付して説明を省略する。
図１８に示した例では、銀行間サーバ３に専用線等による通信を介して接続可能に構成された決済銀行システム６が設けられている。この決済銀行は、従業者及び雇用者の口座自体は開設されておらず、店舗等においてＡＴＭ装置４を設置して、所定の金融機関（本例では、金融機関Ａ、Ｂ）での取引処理の仲介を行う。この決済銀行システム６は、金融機関Ａ又は金融機関Ｂ等に対する支払、振替、振込などの決済要求を受付け、その決済要求を所定の金融機関へ送信する処理を行うコンピュータシステムである。
この決済銀行システム６は、振替データベース６１を有している。この振替データベース６１には図１９に示すように、従業者口座情報と、当該従業者が金融機関Ｂに保有している支払口座情報とを関連付けて記憶するようになっている。
従業者口座情報としては、従業者口座が開設されている金融機関Ａの金融機関コード、支店コード、口座種別、口座番号からなる情報である。また支払口座情報としては、支払口座が開設されている金融機関Ｂの金融機関コード、支店コード、雇用者口座番号、支払口座番号から構成されている。なお、従業者口座情報、支払口座情報は、これらの口座が特定できる情報であれば、これらの内容に限定されるものではない。
そして、決済銀行システム６は、この振替データベース６１を参照して、支払口座に対する支払処理要求を、支払口座が設けられている金融機関Ｂシステム２へ振り分けることができるようになっている。
【００６７】
本実施形態における支払処理方法の例を図１８を参照して説明する。
なお、図１８の例では、従業者はあらかじめ金融機関Ａに従業者口座を開設しており、この従業者口座で取引を行うためのキャッシュカード５が発行されている。また、雇用者は金融機関Ｂに雇用者口座を開設し、この雇用者口座に従業者に対する賃金支払用の支払口座が設けられている状態とする。
この状態で、従業者が、雇用者により金融機関Ｂの支払口座に入金されたお金を引き出す場合、まず従業者が保有している金融機関Ａのキャッシュカード５をＡＴＭ装置４に挿入して、暗証番号を入力すると、ＡＴＭ装置４は、入力されたカードから読み取った金融機関コード、支店コード、口座種別、口座番号、口座名義と、入力された暗証番号を銀行間サーバ３を介して金融機関Ａシステムへ送信して認証要求を行う（Ｓ２１)。
【００６８】
銀行間サーバ３は、受信した金融機関コード及び支店コードから対応する金融機関Ａシステム１へ受信したデータを送信する（Ｓ２２)。
金融機関Ａシステムでは、口座マスタデータベース１１を参照して、受信した従業者口座番号、暗証番号が正しいか否か認証し（Ｓ２３）、その認証結果を銀行間サーバ３を介して要求元のＡＴＭ装置４に認証結果を通知する（Ｓ２４、Ｓ２５）。
【００６９】
認証の結果、入力された口座番号及び暗証番号が適正な場合には、ＡＴＭ装置４はこの認証済み結果情報を一時記憶しておくと共に、従業者に対して支払口座からの支払処理に移るための選択入力を要求するメッセージを画面に表示し、これに基づいて従業者が支払口座からの取引を選択入力すると、従業者口座情報及び金融機関Ａによる認証済み情報を銀行間サーバ３を介して決済銀行システム６へ送信する（Ｓ２６）。
銀行間サーバ３は、決済銀行システム６に対して、従業者口座情報（金融機関コード、支店コード、口座種別、口座番号、口座名義）と金融機関Ａによる認証済み情報を送信する（Ｓ２７）。
【００７０】
決済銀行システム６は、振替データベース６１を参照して、受信した従業者口座情報に関連付けられている支払口座番号を検索して抽出する（Ｓ２８）。
関連付けられている支払口座情報を抽出すると、決済銀行システム６は、当該支払口座情報に基づいて、支払口座が設けられている金融機関に対して、受信した支払口座情報及び認証済み情報を、銀行間サーバ３を介して金融機関Ｂシステム２へ送信する（Ｓ２９）。
銀行間システム３は、指定された金融機関Ｂに対して、支払口座情報及び認証済情報を決済銀行システム６へ送信する（Ｓ３０）。
【００７１】
金融機関Ｂシステム２は、金融機関Ａの認証情報があるか否か、また、口座マスタデータベース２１を参照して受信した支払口座情報が存在するか否か判別し、適正な場合に当該支払口座の残額情報を抽出する（Ｓ３１）。
そして、金融機関Ｂシステム２は、抽出した残高情報を、銀行間サーバ３を介してＡＴＭ装置４へ送信する（Ｓ３２、Ｓ３３）。
【００７２】
ＡＴＭ装置４は、通知された支払口座の残高を表示して、支払金額の入力を要求し、これに応じて支払金額が入力されると、入力された支払金額情報を銀行間サーバ３を介して金融機関Ｂシステム２へ送信する（Ｓ３４、Ｓ３５）。
これに応じて、金融機関システム２が口座マスタデータベース２１から支払い要求された金額を減算して残高を更新し、銀行間サーバ３を介して、ＡＴＭ装置４に対して支払指示を行う（Ｓ３６、Ｓ３７）。
これにより、ＡＴＭ装置４は、支払要求された現金の払い出しを行うことで、従業者は支払口座から現金の支払を受けることができる。
【００７３】
このように、本実施形態によれば、上述の実施形態の効果に加えて、決済銀行システム６により従業者口座情報と支払口座情報とを関連付けておくことができるから、従業者は支払口座情報を覚えたりする必要がないし、また支払口座情報を記憶したカードなどの媒体を発行する必要がなく、コストを削減することができる。
【００７４】
図１８に示した例では、決済銀行サーバを設けた例について説明したが、図１９に示すように上述の決済銀行サーバの機能を銀行間サーバに持たせるようにしてもよい。
この場合、図１９に示すように、まず、従業者が保有している金融機関Ａのキャッシュカード５をＡＴＭ装置４に挿入して、暗証番号を入力すると、ＡＴＭ装置４は、入力されたカードから読み取った金融機関コード、支店コード、口座種別、口座番号、口座名義と、入力された暗証番号を銀行間サーバ３を介して金融機関Ａシステムへ送信して認証要求を行う（Ｓ４１)。
【００７５】
銀行間サーバ３は、受信した金融機関コード及び支店コードから対応する金融機関Ａシステム１へ受信したデータを送信する（Ｓ４２)。
金融機関Ａシステムでは、口座マスタデータベース１１を参照して、受信した従業者口座番号、暗証番号が正しいか否か認証し（Ｓ４３）、その認証結果を銀行間サーバ３を介して要求元のＡＴＭ装置４に認証結果を通知する（Ｓ４４、Ｓ４５）。
【００７６】
認証の結果、入力された口座番号及び暗証番号が適正な場合には、ＡＴＭ装置４はこの認証済み結果情報を一時記憶しておくと共に、従業者に対して支払口座からの支払処理に移るための選択入力を要求するメッセージを画面に表示し、これに基づいて従業者が支払口座からの取引を選択入力すると、従業者口座情報及び金融機関Ａによる認証済み情報を銀行間サーバ３へ送信する（Ｓ４６）。
銀行間サーバ３は、振替データベース６１を参照して、受信した従業者口座情報に関連付けられている支払口座番号を検索して抽出する（Ｓ４７）。
関連付けられている支払口座情報を抽出すると、銀行間サーバ３は、当該支払口座情報に基づいて、支払口座が設けられている金融機関に対して、受信した支払口座情報及び認証済み情報を、銀行間サーバ３を介して金融機関Ｂシステム２へ送信する（Ｓ４８）。
【００７７】
金融機関Ｂシステム２は、金融機関Ａの認証情報があるか否か、また、口座マスタデータベース２１を参照して受信した支払口座情報が存在するか否か判別し、適正な場合に当該支払口座の残額情報を抽出する（Ｓ４９）。
そして、金融機関Ｂシステム２は、抽出した残高情報を、銀行間サーバ３を介してＡＴＭ装置４へ送信する（Ｓ５０、Ｓ５１）。
【００７８】
ＡＴＭ装置４は、通知された支払口座の残高を表示して、支払金額の入力を要求し、これに応じて支払金額が入力されると、入力された支払金額情報御を銀行間サーバ３を介して金融機関Ｂシステム２へ送信する（Ｓ５２，Ｓ５３）。
これに応じて、金融機関システム２が口座マスタデータベース２１から支払い要求された金額を減算して残高を更新し、銀行間サーバ３を介して、ＡＴＭ装置４に対して支払指示を行う（Ｓ５４、Ｓ５５）。
これにより、ＡＴＭ装置４は、支払要求された現金の払い出しを行うことで、従業者は支払口座から現金の支払を受けることができる。
【００７９】
このように図１９に示した実施形態によれば、上述の実施形態の効果に加えて、決済銀行システムを設けるまでもなく、銀行間サーバ３が振替データベース６１を持っていることから、従業者が支払口座情報を覚えておいたり、また支払口座用のカードを発行したりする必要がないし、決済銀行システムがない分だけシステム全体を簡潔な構成とすることができ、システム全体の処理量を軽減することができる。
【００８０】
なお、上述の例では決済銀行サーバを設けた例、銀行間サーバが支払口座と従業者口座を関連付ける例について説明したが、上述の振替えデータベース６１を、上述の決済銀行サーバの機能を金融機関Ａシステム１にもたせて、金融機関Ａシステム１で支払口座と従業者口座を関連付けるようにしてもよい。
【００８１】
また、上述の各実施例では、金融機関Ｂに雇用者口座の記憶エリアの一部を分割して設けた支払口座を開設する例について説明したが、支払口座に限らず、従業者が支払い用に開設した普通口座から、金融機関Ａの従業者口座に対して支払処理を行う場合にも適用することができる。
【００８２】
なお、上述した本実施形態では、たとえば、支払者口座の残高が「０円」になったら、或は支払者口座の残高が「０円」になって一定期間経過したら、仮想的に設けた支払口座情報を削除したり、または有効期限を設けて、一定期間取引がない支払者口座も同様に削除する処理をしても良い。
これにより、雇用者側としては、取引がない（残高がない）支払口座がいつまでも残っているという状態を解消できるし、また金融機関側としても、不要な支払口座を削除することで、当該支払口座用の記憶領域を確保する必要が無くなり、システム負荷が軽減されることになり望ましい。
【００８３】
上述の各実施形態では、操作端末として、ＡＴＭ装置を用いた例について説明したが、本発明はこれに限らず、ＣＤ（キャッシュディスペンサー）装置でもよいし、またネットバンキングのパーソナルコンピュータなどの端末であってもよい。
【図面の簡単な説明】
【００８４】
【図１】本発明の実施の形態に係る支払処理システムの全体構成及び支払処理方法の処理の流れを示した図。
【図２】本実施形態にかかる金融機関Ｂシステムの機能ブロック図。
【図３】本実施形態にかかる金融機関Ｂシステムの口座マスタデータベースに記憶されるデータの一例を示した図。
【図４】本実施形態にかかる金融機関Ｂシステムの従業者データベースに記憶されるデータの一例を示した図。
【図５】本実施形態にかかるＡＴＭ装置の機能ブロック図。
【図６】本実施形態にかかるＡＴＭ装置の詳細な処理の流れを示した図。
【図７】本実施形態にかかるＡＴＭ装置が引出処理を行う際の詳細な処理の流れを示した図。
【図８】本実施形態にかかるＡＴＭ装置が振込処理を行う際の詳細な処理の流れを示した図。
【図９】本実施形態にかかるＡＴＭ装置の初期メニュー画面の一例を示した図。
【図１０】本実施形態にかかるＡＴＭ装置のカード挿入画面の一例を示した図。
【図１１】本実施形態にかかるＡＴＭ装置の暗証番号入力画面の一例を示した図。
【図１２】本実施形態にかかるＡＴＭ装置の残高表示画面の一例を示した図。
【図１３】本実施形態にかかるＡＴＭ装置の支払口座に対する支払情報入力画面の一例を示した図。
【図１４】本実施形態にかかる  ＡＴＭ装置の支払金額入力画面の一例を示した図。
【図１５】本実施形態にかかるＡＴＭ装置の振込金額入力画面の一例を示した図。
【図１６】本実施形態にかかるＡＴＭ装置の名寄せ画面の一例を示した図。
【図１７】本実施形態にかかる金融機関Ｂシステムの詳細な処理の流れを示した図。
【図１８】別の実施の形態に係る支払処理システムの全体構成及び支払処理方法の処理の流れを示した図。
【図１９】さらに別の実施の形態に係る支払処理システムの全体構成及び支払処理方法の処理の流れを示した図。
【符号の説明】
【００８５】
１  金融機関Ａシステム
２  金融機関Ｂシステム
３  銀行間サーバ
４  ＡＴＭ装置
５  キャッシュカード
１１  口座マスタデータベース
２１  口座マスタデータベース
【図１】
2006302150.tif 000003
【図２】
2006302150.tif 000004
【図３】
2006302150.tif 000005
【図４】
2006302150.tif 000006
【図５】
2006302150.tif 000007
【図６】
2006302150.tif 000008
【図７】
2006302150.tif 000009
【図８】
2006302150.tif 000010
【図９】
2006302150.tif 000011
【図１０】
2006302150.tif 000012
【図１１】
2006302150.tif 000013
【図１２】
2006302150.tif 000014
【図１３】
2006302150.tif 000015
【図１４】
2006302150.tif 000016
【図１５】
2006302150.tif 000017
【図１６】
2006302150.tif 000018
【図１７】
2006302150.tif 000019
【図１８】
2006302150.tif 000020
【図１９】
2006302150.tif 000021